(57)【特許請求の範囲】
【請求項１】
前壁に衣類取出口が開設された本体ケースと、前記衣類取出口を開閉する前扉と、衣類を収容する筒状のドラムと、ドラム内の空気の給排気を行う給排気手段と、前記給排気手段によってドラム内へ供給される空気を加熱する加熱手段と、本体ケースの前壁前面側へ空気を導く送風通路と、前記送風通路内に気流を発生させる送風ファンと、前記送風通路内にイオンを放出するイオン発生器とを備え、
本体ケースの前壁前面で且つ衣類取出口の外周上方位置に、前記送風通路内へ放出されたイオンを衣類取出口の前側の開口面に沿って下向きに吹き出すイオン吹出口が設けられた、衣類乾燥機。
【請求項２】
請求項１に記載の衣類乾燥機において、
前記イオン吹出口には、本体ケースの前壁前面から衣類取出口の前側斜め下に向けて傾斜する案内板が設けられた、衣類乾燥機。
【請求項３】
請求項１または２に記載の衣類乾燥機において、
本体ケースの内部からイオン吹出口へ向けて前記送風通路が設けられ、
前扉には、前扉を閉じた際に前記イオン吹出口を閉塞する閉塞部が設けられた、衣類乾燥機。
【発明の詳細な説明】
【技術分野】
【０００１】
本発明は、衣類乾燥機、特に、除電機能を備えた回転ドラム式の衣類乾燥機に関するものである。
【背景技術】
【０００２】
回転ドラム式の衣類乾燥機では、乾燥運転中の衣類同士の摩擦や衣類とドラム内壁との摩擦、ドラム内の温度状態等の条件により衣類に静電気が帯電する場合があるが、このような場合、衣類をドラム内から取り出す際に手元で放電が起こり、使用者に不快な痛感を与えてしまう。
【０００３】
従来、この手元での放電を防止するため、イオン発生器で発生させたイオンを衣類取出口の周縁部下側から上方へ向けて吹き出すように構成されたものが知られている（例えば、特許文献１参照）。
【先行技術文献】
【特許文献】
【０００４】
【特許文献１】特開２０１２−２４５０６号公報
【発明の概要】
【発明が解決しようとする課題】
【０００５】
しかしながら、上記従来の衣類乾燥機は、衣類取出口へ差し入れた手元の比較的狭い範囲にしかイオンが吹き付けられないため、衣類に帯電した静電気の量によっては、十分な除電効果が得られない可能性がある。また、衣類取出口へ手を差し入れている間しかイオンが吹き付けられないため、除電効率も悪かった。
【０００６】
本発明は、上述の事情に鑑みてなされたものであり、その目的は、衣類乾燥機において、衣類をドラム内から取り出す際の手元での放電を効率的且つ確実に防止することにある。
【課題を解決するための手段】
【０００７】
本発明に係る衣類乾燥機は、前壁に衣類取出口が開設された本体ケースと、前記衣類取出口を開閉する前扉と、衣類を収容する筒状のドラムと、ドラム内の空気の給排気を行う給排気手段と、前記給排気手段によってドラム内へ供給される空気を加熱する加熱手段と、本体ケースの前壁前面側へ空気を導く送風通路と、前記送風通路内に気流を発生させる送風ファンと、前記送風通路内にイオンを放出するイオン発生器とを備え、本体ケースの前壁前面で且つ衣類取出口の外周上方位置に、前記送風通路内へ放出されたイオンを衣類取出口の前側の開口面に沿って下向きに吹き出すイオン吹出口が設けられたものである。
【０００８】
上記衣類乾燥機によれば、送風ファンおよびイオン発生器を作動させると、イオンが空気と共に送風通路を通って本体ケースの前壁前面側へ導かれるが、この前壁前面側へ導かれたイオンは、衣類取出口の外周上方位置から衣類取出口の前側の開口面に沿って下方へ吹き出され、衣類をドラム内から取り出す際に、使用者の手元や身体の広範囲にイオンが吹き付けられる。これにより、衣類や使用者の身体に帯電した静電気が確実に除電される。また、衣類取出口へ手を差し入れていない間も、使用者の身体に対してイオンが吹き付けられ、その身体に帯電した静電気が速やかに除電される。
【０００９】
上記衣類乾燥機において、前記イオン吹出口には、本体ケースの前壁前面から衣類取出口の前側斜め下に向けて傾斜する案内板が設けられたものであるのが望ましい。
【００１０】
このものでは、特に、イオン発生器から送風通路内へ放出されたイオンが空気と共に、イオン吹出口に設けられた案内板に沿って衣類取出口の前側斜め下向きに吹き出されるから、使用者の手元や身体へ確実にイオンが吹き付けられる。これにより、衣類や使用者の身体に帯電した静電気がより確実に且つ速やかに除電される。
【００１１】
上記衣類乾燥機において、好ましくは、本体ケースの内部からイオン吹出口へ向けて前記送風通路が設けられ、前扉には、前扉を閉じた際に前記イオン吹出口を閉塞する閉塞部が設けられる。
【００１２】
このものでは、前扉が閉じられた状態では、イオン吹出口も閉塞部によって閉塞されているため、送風通路内へ送り込まれたイオンは、イオン吹出口から吹き出されず、本体ケースの内部へ放出される。従って、この状態で本体ケース内外の空気がドラム内へ循環供給された場合、本体ケースの内部に放出されたイオンがドラム内へ送り込まれ、衣類に帯電した静電気が速やかに除電される。一方、前扉が開かれた状態では、イオン吹出口も開放されているため、送風通路内へ送り込まれたイオンは、イオン吹出口からその下方の衣類取出口周辺へ吹き出される。従って、この状態で衣類をドラム内から取り出す場合、使用者の手元や身体等の広範囲にイオンが吹き付けられ、衣類や使用者の身体に帯電した静電気が確実に除電される。
【００１３】
即ち、前扉が閉じられた状態では、送風通路内へ送り込まれたイオンが本体ケース内へ放出され、給排気手段を作動させた際にドラム内へ供給される一方、前扉が開かれた状態では、送風通路内へ送り込まれたイオンがイオン吹出口から使用者の手元や身体へ向けて放出される。これにより、衣類や使用者の身体に帯電した静電気が確実且つ速やかに除電される。
【００１４】
ところで、ドラム内の空気を本体ケースの前側から排気ダクトを通じて本体ケース外へ排出させる排気経路を有する衣類乾燥機の場合、その排気経路に上記イオン吹出口を設けると、送風通路が本体ケースの内外を繋ぐ通路となる。そのため、乾燥運転の際に、本体ケース内の空気の一部がドラム内を通らないで、送風通路から排気ダクト内へ直接的に導かれてしまい、その結果、所定量の温風がドラム内へ供給されず、乾燥性能を低下させてしまう可能性がある。しかしながら、このものでは、イオン吹出口は上記排気経路に設けられておらず、別経路として送風通路が確立されるから、乾燥運転の際、本体ケース内の空気の一部が送風通路から排気ダクト内へ直接的に導かれることがない。これにより、所定量の温風をドラム内へ供給することが可能であり、所望の乾燥性能を発揮できる。
【発明の効果】
【００１５】
以上のように、本発明によれば、衣類をドラム内から取り出す際、使用者の手元や身体の広範囲にイオンが吹き付けられ、衣類や使用者の身体に帯電した静電気が確実に除電されるから、高い除電効果が得られる。また、衣類取出口へ手を差し入れていない間も、使用者の身体に対してイオンが吹き付けられ、その身体に帯電した静電気が速やかに除電されるから、除電効率も良い。
【図面の簡単な説明】
【００１６】
【図１】図１は、本発明の実施の形態に係る衣類乾燥機の側面視縦断面概略図である。
【図２】図２は、本発明の実施の形態に係る衣類乾燥機における前扉を開いた状態の正面視一部断面概略図である。
【図３】図３は、本発明の実施の形態に係る衣類乾燥機の内部構造を示す概略斜視図である。
【図４】図４は、本発明の実施の形態に係る衣類乾燥機の前扉の後面側の一部を示す図である。
【図５】図５は、本発明の実施の形態に係る衣類乾燥機における前扉を開いた状態の吹出口部周辺の側面視縦断面概略図である。
【図６】図６は、本発明の実施の形態に係る衣類乾燥機における前扉を閉じた状態の吹出口部周辺の側面視縦断面概略図である。
【図７】図７は、本発明の他の実施形態に係る衣類乾燥機における前扉を開いた状態の吹出口部周辺の側面視縦断面概略図である。
【図８】図８は、本発明の他の実施形態に係る衣類乾燥機における前扉を閉じた状態の吹出口部周辺の側面視縦断面概略図である。
【発明を実施するための形態】
【００１７】
次に、上記した本発明を実施するための形態について、添付図面を参照しながら詳述する。
図１に示すように、本発明の実施の形態に係る衣類乾燥機１は、矩形箱状の本体ケース１１と、本体ケース１１の前壁１１６に開設された衣類取出口１１０をその前方側から被蓋する前扉１２とでその外郭が構成されている。
【００１８】
本体ケース１１内には、前側に円形状の開口部１３０を有する円筒状のドラム１３が横向き姿勢で収容されている。このドラム１３の開口部１３０の内周は、衣類取出口１１０のドラム１３側の周縁に沿って突設されたリング板１４の外周に遊接支持されている。また、本体ケース１１内のドラム１３の後方には、ドラム支持壁１１１が立設されており、ドラム１３の奥壁１３３の中央部は、このドラム支持壁１１１に固定された支軸１５に対して回動可能な状態で支持されている。
【００１９】
ドラム１３の奥壁１３３の外周領域には、複数の小円孔（以下、「温風入口」という）１３５が穿設されており、ドラム１３の奥側外部の空間は、この温風入口１３５を介してドラム１３の内部空間に繋がっている。
【００２０】
支軸１５の前端部には、上記温風入口１３５の形成領域を奥壁１３３の前面側から覆う略円板状のカバー板１５３が固設されている。カバー板１５３の下部の所定領域には、複数の小円孔（以下、「温風吹出口」という）１５０が穿設されており、奥壁１３３の前面側の空間は、この温風吹出口１５０を介してカバー板１５３の前面側の空間に繋がっている。
【００２１】
ドラム支持壁１１１の後面側には、本体ケース１１内へ取り込まれた室内空気や後述するバーナユニット１８から放出された燃焼ガスをドラム１３の奥側外部の空間へ導く温風ダクト１７が配設されている。
【００２２】
温風ダクト１７は、ドラム支持壁１１１の後面上部から下方へ向かって延設されており、その下端部には、後述する給排気ファン２２によって本体ケース１１内へ取り込まれる室内空気を加熱する加熱手段としてバーナユニット１８が組み込まれている。
【００２３】
バーナユニット１８は、図示しないガスバーナや弁装置等で構成されており、その弁装置の比例弁が開弁されると、所定量のガスと空気の混合ガスをガスバーナで燃焼させ、燃焼ガスとして温風ダクト１７内へ放出させる。その際、温風ダクト１７内へ導かれた本体ケース１１内の空気が、燃焼ガスによって加熱されつつ、その燃焼ガスと共にドラム１３の奥側外部の空間へ導かれる。そして、この加熱された空気および燃焼ガスは、奥壁１３３の温風入口１３５を通じてカバー板１５３の後面側の空間へ送り込まれ、温風として温風吹出口１５０からドラム１３内の下域へ向けて送り出される。
【００２４】
前扉１２の後壁１２６には、前扉１２が閉じられた状態において衣類取出口１１０に嵌挿される円形台状の蓋部１２０がドラム１３側へ向けて膨出形成されており、さらにその蓋部１２０の中央には、複数の小円孔（以下、「温風排出口」という）１２１を有するフィルタカバー１２２が着脱可能な状態で取り付けられている。
【００２５】
温風排出口１２１は、フィルタカバー１２２の内側に取り付けられたエアフィルタ１２３を介して蓋部１２０の内部空間へ繋がっている。また、蓋部１２０の外周上部には、前扉１２が閉じられた状態において、衣類取出口１１０の内周上部に開設された排気入口１１４に連通するスリット状の連結口１２４が複数開設されている（図４参照）。
【００２６】
本体ケース１１内におけるドラム１３の上方位置には、ドラム１３内へ送り込まれた空気や燃焼ガスを上記蓋部１２０の内部空間を介して本体ケース１１の外部へ導く排気ダクト２１が形成されている。
【００２７】
排気ダクト２１は、一端側が上記排気入口１１４に繋がり、他端側が本体ケース１１の上面に開設された排気出口１１５に繋がっている。また、排気ダクト２１の中間部には、本体ケース１１内へ室内空気を取り込み、さらにその室内空気やバーナユニット１８から放出された燃焼ガスをドラム１３内へ導き、排気ダクト２１を通じて本体ケース１１の外部へ排出させる給排気手段として給排気ファン２２が組み込まれている。
【００２８】
従って、前扉１２が閉じられた状態で給排気ファン２２を回転させると、ドラム１３内の空気が温風排出口１２１から蓋部１２０の内部空間を通り、連結口１２４および排気入口１１４を介して排気ダクト２１内へ導かれ、さらに排気出口１１５から本体ケース１１の外部へ排出される（この空気の流れが排気経路となる）。また、これに伴って、本体ケース１１の外部の空気が図示しない給気口から本体ケース１１内へ取り込まれ、さらに温風ダクト１７を通って温風吹出口１５０からドラム１３内へ導かれる。
【００２９】
図２および図３に示すように、本体ケース１１の前壁１１６の右上部位置における後面には、本体ケース１１内の空気を後述するイオン吹出口３００へ導く送風通路３３が形成されている。
【００３０】
送風通路３３は、本体ケース１１の前壁１１６の後面に沿って延設されており、その送風通路３３の後面の構成壁には、開口３３０が設けられている。さらに、この開口３３０の形成部には、本体ケース１１内の空気を送風通路３３内へ送り込む送風ファン３４が取り付けられている。
【００３１】
送風ファン３４は、平型矩形筒状のファンケーシング３４０でその外郭が構成されており、上記開口３３０の一部の領域（以下、「主開口部」という）３３１は、このファンケーシング３４０の前側の送風口３４１に連通している。一方、上記送風口３４１に連通していない上記開口３３０の他の領域（以下、「副開口部」という）３３２は、本体ケース１１の内部空間へ直接的に繋がっている。
【００３２】
また、送風ファン３４は、ファンケーシング３４０の前側（送風口３４１）へ向けて送風するように構成されている。従って、本体ケース１１の内部空間側がファンケーシング３４０の上流（吸込）側となり、送風口３４１側がファンケーシング３４０の下流（吹出）側となる。
【００３３】
送風通路３３の側面の構成壁には、送風通路３３内の空気中にプラスやマイナスのイオンを放出するイオン発生器３５が配設されている。詳述すると、イオン発生器３５は、その図示しないイオン発生電極が送風通路３３の内部空間へ臨むように配設されており、所定電圧を印加すると、そのイオン発生電極からプラスイオンおよびマイナスイオン（例えば、プラスイオンとしてＨ＋（Ｈ２Ｏ）ｍ（ｍは任意の自然数）、マイナスイオンとしてＯ２−（Ｈ２Ｏ）ｎ（ｎは任意の自然数））を同時に発生させ、送風通路３３内の空気中に放出する。
【００３４】
本体ケース１１の前壁１１６の前面側で且つ衣類取出口１１０の外周上方位置には、下端側に上記イオンの出口（以下、「イオン吹出口」という）３００を有する円弧状の吹出口部１１７が膨出形成されている。この吹出口部１１７のイオン吹出口３００は、衣類取出口１１０の周方向に長い帯状に形成されており、下向き（衣類取出口１１０側）に開放している。尚、吹出口部１１７のイオン吹出口３００は、イオンを衣類取出口１１０の外周上方位置から下向きに吹き出す位置として、衣類取出口１１０の上半分の外側における前壁１１６の任意の位置に設けることができる。
【００３５】
吹出口部１１７の前側の構成壁（以下、「案内板」という）１１８は、送風通路３３内へ送り込まれた空気およびイオンが、イオン吹出口３００からその案内板１１８に沿って衣類取出口１１０の前側斜め下方へ向かって吹き出されるよう、本体ケース１１の前壁１１６の前面から衣類取出口１１０の前側斜め下向きに傾斜している。
【００３６】
図４から図６に示すように、前扉１２の後壁１２６には、前扉１２を閉じた状態において吹出口部１１７の下端側に接触し、イオン吹出口３００を閉塞する閉塞部として円弧状の凸部１２７が膨出形成されている。
【００３７】
従って、前扉１２が開かれた状態で送風ファン３４およびイオン発生器３５を作動させると、図５に矢視したように、本体ケース１１内の空気がファンケーシング３４０内を通って主開口部３３１から送風通路３３内へ送り込まれると共に、その送風通路３３内へ送り込まれた空気中にイオン発生器３５からイオンが放出される。また、送風ファン３４によって主開口部３３１から送風通路３３内へ空気が送り込まれる際のベンチュリ効果によって、副開口部３３２からも本体ケース１１内の空気が送風通路３３内へ引き込まれる。そして、このようにして送風通路３３内へ送り込まれた空気は、イオンと共に衣類取出口１１０の前側の外周上方位置から衣類取出口１１０の前側の開口面に沿って垂直下向きや前方斜め下向きに吹き出される。
【００３８】
一方、前扉１２が閉じられた状態で送風ファン３４およびイオン発生器３５を作動させると、図６に矢視したように、本体ケース１１内の空気がファンケーシング３４０内を通って主開口部３３１から送風通路３３内へ送り込まれるが、このとき、吹出口部１１７のイオン吹出口３００は前扉１２に設けられた凸部１２７によって閉塞されているため、その送風通路３３内へ送り込まれた空気は、送風通路３３内を副開口部３３２側へ流れて、イオン発生器３５から放出されたイオンと共に副開口部３３２を通じて本体ケース１１の内部空間へ放出される。
【００３９】
本実施の形態における衣類乾燥機１では、乾燥運転の開始の指示がなされると、まず、給排気ファン２２を作動させると共にドラム１３を回転させ、さらにバーナユニット１８のバーナを点火させる。すると、図１に矢視したように、ドラム１３内の空気が温風排出口１２１から蓋部１２０の内部空間を通って排気ダクト２１内へ導かれ、さらに排気出口１１５から本体ケース１１の外部へ排出される。これに伴って、本体ケース１１の外部の空気が図示しない給気口から本体ケース１１内へ取り込まれる。また、本体ケース１１内へ取り込まれた空気は、バーナから放出された燃焼ガスによって加熱されつつ、その燃焼ガスと共に温風ダクト１７を通って温風吹出口１５０から温風としてドラム１３内へ導かれる。その結果、ドラム１３内で攪拌される衣類Ｍの水分が次第に蒸発していく。
【００４０】
そして、衣類Ｍが所定の乾燥状態になれば、バーナユニット１８のバーナを消火させた上で、送風ファン３４およびイオン発生器３５を作動させる。すると、図６に矢視したように、本体ケース１１内の空気がイオンと共に副開口部３３２を通じて本体ケース１１の内部空間へ放出される。さらに、この本体ケース１１内へ放出された空気およびイオンは、給排気ファン２２によって本体ケース１１内へ導かれた低温の室内空気と共に温風ダクト１７内へ送り込まれ、温風ダクト１７を通って温風吹出口１５０から冷風としてドラム１３内へ導かれる（冷風供給動作）。その結果、衣類Ｍの温度が緩やかに降下していくとともに、衣類Ｍの表面に帯電した静電気が速やかに除電される。
【００４１】
その後、所定時間が経過すれば、衣類Ｍが適度に冷却され、静電気も適切に除電されたものとして、ドラム１３の回転を停止させ、さらに給排気ファン２２、送風ファン３４およびイオン発生器３５を停止させ、乾燥運転を終了させる。
【００４２】
また、上述したドラム１３内への冷風供給動作の実行中に前扉１２が開かれた場合は、送風ファン３４およびイオン発生器３５を作動させた状態で、ドラム１３の回転を停止させ、さらに給排気ファン２２を停止させる。すると、図５に矢視したように、本体ケース１１内の空気がイオンと共にイオン吹出口３００を通じて垂直下向きや前方斜め下向きに吹き出され、衣類取出口１１０の前側の開口面にプラスイオンおよびマイナスイオンを含んだエアカーテンが形成される。従って、衣類Ｍをドラム１３内から取り出す際には、使用者の手元や上体の広範囲にプラスイオンおよびマイナスイオンが直接的且つ的確に吹き付けられ、衣類Ｍや使用者の身体に帯電した静電気が確実に除電される。さらに、このものでは、イオン吹出口３００から前方斜め下向きにイオンが吹き出されるように構成されているから、衣類取出口１１０へ手を差し入れていない間も、使用者の上体に対してイオンが吹き付けられ、その身体に帯電した静電気が速やかに除電される。
【００４３】
一方、上述したドラム１３内への冷風供給動作が終了した後に前扉１２が開かれた場合は、送風ファン３４およびイオン発生器３５を作動させる。すると、上述した冷風供給動作の実行中に前扉１２が開かれた場合と同様、本体ケース１１内の空気がイオンと共にイオン吹出口３００を通じて垂直下向きや前方斜め下向きに吹き出される。従って、衣類Ｍをドラム１３内から取り出す際には、使用者の手元や上体の広範囲にプラスイオンおよびマイナスイオンが直接的に吹き付けられ、衣類Ｍや使用者の身体に帯電した静電気が確実に除電される。また、衣類取出口１１０へ手を差し入れていない間も、使用者の上体に対してイオンが吹き付けられ、その身体に帯電した静電気が速やかに除電される。
【００４４】
このように、上記実施の形態に係る衣類乾燥機１によれば、衣類Ｍをドラム１３内から取り出す際、使用者の手元や上体の広範囲にイオンが吹き付けられ、衣類Ｍや使用者の身体に帯電した静電気が確実に除電されるから、高い除電効果が得られる。また、衣類取出口１１０へ手を差し入れていない間も、使用者の上体に対してイオンが吹き付けられ、その身体に帯電した静電気が速やかに除電されるから、除電効率も良い。
【００４５】
また、衣類取出口１１０の前側の外周上方位置から下方へ向かってイオンが吹き出されるように構成されているため、洗濯機の上方等の比較的高い場所に設置して使用する場合であっても、使用者の手元や上体へ確実にイオンが吹き付けられ、その身体や衣類Ｍに帯電した静電気を確実に且つ速やかに除電することができる。
【００４６】
特に、このものでは、送風通路３３内へ放出されたイオンが、イオン吹出口３００に設けられた案内板１１８に沿って衣類取出口１１０の前側斜め下向きに吹き出されるから、使用者の手元や上体へ確実に吹き付けられ、その身体や衣類Ｍに帯電した静電気がより確実に且つ速やかに除電される。従って、より高い除電効果が得られるし、除電効率も向上する。
【００４７】
また、このものでは、ドラム１３内から衣類Ｍを取り出す際に比較的放電の発生し易い衣類取出口１１０の開口面付近へ重点的にイオンが吹き付けられるから、その衣類Ｍ相互の重なり合った部分に残留した静電気を効果的に除電することが可能である。従って、一層高い除電効果が得られる。
【００４８】
さらに、このものでは、前扉１２が閉じられた状態では、送風通路３３内へ送り込まれたイオンが本体ケース１１の内部へ放出され、給排気ファン２２を作動させた際にドラム１３内へ供給される一方、前扉１２が開かれた状態では、送風通路３３内へ送り込まれたイオンが吹出口部１１７のイオン吹出口３００から使用者の手元や上体へ向けて放出されるため、衣類Ｍや使用者の身体に帯電した静電気が確実且つ速やかに除電される。従って、より一層高い除電効果が得られるし、除電効率も一層向上する。
【００４９】
ところで、上記実施の形態に係る衣類乾燥機１のように、ドラム１３内の空気を本体ケース１１の前側から排気ダクト２１を通じて本体ケース１１外へ排出させる排気経路を有するものの場合、その排気経路にイオン吹出口３００を設けると、送風通路３３が本体ケース１１の内外を繋ぐ通路となる。そのため、乾燥運転の際に、本体ケース１１内の空気の一部がドラム１３内を通らないで、送風通路３３から排気ダクト２１内へ直接的に導かれてしまい、その結果、所定量の温風がドラム１３内へ供給されず、乾燥性能を低下させてしまう可能性がある。しかしながら、上記実施の形態に係る衣類乾燥機１では、イオン吹出口３００は上記排気経路に設けられておらず、別経路として送風通路３３が確立されるから、乾燥運転の際、本体ケース１１内の空気の一部がドラム１３の内部空間を通らないで、送風通路３３から排気ダクト２１内へ直接的に導かれることがない。これにより、所定量の温風をドラム１３内へ供給することが可能であり、所望の乾燥性能を発揮できる。
【００５０】
また、上記実施の形態に係る衣類乾燥機１によれば、衣類取出口１１０へのイオンの供給とドラム１３内へのイオンの供給とを一つの送風ファン３４およびイオン発生器３５で実現することが可能であるから、衣類乾燥機１の全体の構成を簡素化できる。
【００５１】
さらに、扉１２が開かれた状態のとき、使用者の手元には、プラスイオンおよびマイナスイオンが共に吹き付けられるため、衣類Ｍや使用者の身体に正または負のいずれの静電気が帯電していても、これらプラスやマイナスのイオンによって適切に除電される。従って、高い除電効果が得られる。
【００５２】
一方、扉１２が閉じられた状態のときには、プラスイオンおよびマイナスイオンが共にドラム１３内へ供給されるため、そのドラム１３内の衣類Ｍに正または負のいずれの静電気が帯電していても、これらプラスやマイナスのイオンによって適切に除電される。従って、より高い除電効果が得られる。
【００５３】
尚、上記実施の形態では、本体ケース１１の前壁１１６に吹出口部１１７を膨出形成させたものを説明したが、送風通路３３の前側に吹出口部を一体形成し、その吹出口部を本体ケース１１の前壁１１６の前方へ突出させた構成としても良い。
【００５４】
また、上記実施の形態では、前扉１２の後壁１２６に一体形成された円弧状の凸部１２７によってイオン吹出口３００を閉塞する構成としたが、図７および図８に示すように、前扉１２の後壁１２６に円弧帯状のパッキン１２８を設け、このパッキン１２８を吹出口部１１７の下端側に密接させることでイオン吹出口３００を閉塞する構成としても良いし、前扉１２の後壁１２６における蓋部１２０の外周側に円環状の凸部やパッキン等の閉塞部を設け、この閉塞部によってイオン吹出口３００を閉塞する構成としても良い。
【００５５】
さらに、上記実施の形態では、送風通路３３の側面の構成壁に設けたイオン発生器３５から送風通路３３内へイオンを放出する構成としたが、イオンを送風通路３３内へ放出可能であれば、イオン発生器３５を、送風通路３３の後面の構成壁に設けても良いし、本体ケース１１の前壁１１６に設けても良いし、副開口部３３２の周縁に設けても良い。
【００５６】
また、上記実施の形態では、イオン発生器３５からプラスイオンとマイナスイオンとを同時に発生させるように構成されているが、イオン発生器３５からプラスイオンまたはマイナスイオンのいずれか一方のみを発生させても良い。
【符号の説明】
【００５７】
１・・・衣類乾燥機
１１・・・本体ケース
１１０・・・衣類取出口
１１６・・・本体ケースの前壁
１１７・・・吹出口部
１１８・・・案内板
３００・・・イオン吹出口
１２・・・前扉
１２７・・・凸部（閉塞部）
１３・・・ドラム
１８・・・バーナユニット（加熱手段）
２２・・・給排気ファン（給排気手段）
３３・・・送風通路
３４・・・送風ファン
３５・・・イオン発生器
【図１】
0005740342.tif 000002
【図２】
0005740342.tif 000003
【図３】
0005740342.tif 000004
【図４】
0005740342.tif 000005
【図５】
0005740342.tif 000006
【図６】
0005740342.tif 000007
【図７】
0005740342.tif 000008
【図８】
0005740342.tif 000009